(57)【要約】【課題】カバーの開閉操作を利用してカバーの開閉を検出する以外の所望の処理を行う。【解決手段】通信装置（１）は、収納物を収納する収納部（２７）を有する筐体（２）と、筐体（２）に対してスライドすることにより収納部（２７）を開閉するカバー（７）と、筐体（２）の内部に設けられた内部スイッチ（６）と、内部スイッチ（６）が押圧されることによりオンした状態で操作されると特定の処理を有効にする電源スイッチ（４）とを備える。カバー（７）は、筐体（２）の内部に設けられた内部スイッチ（６）を押圧する突起（７１ｃ）を有する。筐体（２）およびカバー（７）は、カバー（７）が収納部（２７）を完全に閉じる位置とカバー（７）が収納部（２７）を完全に開く位置との間の、突起（７１ｃ）が内部スイッチ（６）を押圧する位置で、カバー（７）を筐体（２）に保持する保持構造を有している。【選択図】図１
2016178128.tif 000002
【特許請求の範囲】
【請求項１】
収納物を収納する収納部を有する筐体と、
前記筐体に対してスライドすることにより前記収納部を開閉するカバーと、
前記筐体の内部に設けられた内部スイッチと、
前記内部スイッチが押圧されることによりオンした状態で操作されると特定の処理を有効にする操作部とを備え、
前記カバーは、前記内部スイッチを押圧する突起を有し、
前記筐体および前記カバーは、前記カバーが前記収納部を完全に閉じる位置と前記収納部を完全に開く位置との間の、前記突起が前記内部スイッチを押圧する位置で、前記カバーを前記筐体に保持する保持構造を有していることを特徴とする電子機器。
【請求項２】
前記保持構造は、
前記筐体に設けられた凹部と、
前記カバーに設けられて前記凹部に嵌まる凸部とで構成されることを特徴とする請求項１に記載の電子機器。
【請求項３】
前記カバーは、その側面に、所定の長さを有し、前記筐体にスライド自在に保持されるガイド部を有し、
前記突起は、前記ガイド部と近接した位置に設けられていることを特徴とする請求項２に記載の電子機器。
【請求項４】
前記凸部は、前記ガイド部において、前記カバーが前記収納部を完全に閉じる位置で最も前記筐体の奥側に位置するように設けられ、かつ前記突起と近接した位置に設けられていることを特徴とする請求項３に記載の電子機器。
【請求項５】
前記操作部は、前記電子機器の電源を投入するための電源スイッチであり、
前記電子機器は、
前記内部スイッチが前記突起によって押圧されることでオンし、かつ、前記電源スイッチがオンしたときに所定の処理を行う制御部をさらに備えていることを特徴とする請求項１から４のいずれか１項に記載の電子機器。
【発明の詳細な説明】
【技術分野】
【０００１】
本発明は、スイッチの操作をカバーの開閉操作に応じて行うことができる電子機器に関する。
【背景技術】
【０００２】
近年の電子機器は、プログラムによる制御が進んでおり、汎用または専用のＯＳ（Operating System）を実装したものも普及してきている。
【０００３】
このような電子機器では、プログラムの不具合によって動作に異常を来した場合、正常動作に復帰するために、初期化のためのリセット操作や、リカバリー動作を行うリカバリーモードに移行するための操作をユーザにて行う必要がある。このような操作は、画面を見ながらの複雑な手順やコンピュータの知識が要求されるような一般のユーザには馴染みのない操作であることが多く、困難さを伴う。
【０００４】
また、このような電子機器は、電池などの収納物を筐体の内部に収納している。収納物の出し入れは、筐体に設けられたカバーを開閉することで行う。例えば、特許文献１には、キャビネットに対してスライド可能な蓋体を係止するロック機構の係止状態または係止解除状態を、蓋体のスライド位置に基づいてスイッチによって検出する電子機器が開示されている。特許文献２には、外装ケースに対して開閉可能に設けられた蓋体の開閉に連動してスイッチが操作される電子機器が開示されている。
【先行技術文献】
【特許文献】
【０００５】
【特許文献１】特開２００６−８０３２７号公報（２００８年３月２３日公開）
【特許文献２】特開平１−２７３３９３号公報（１９８９年１１月１日公開）
【発明の概要】
【発明が解決しようとする課題】
【０００６】
リカバリーモードへ移行する操作を容易にするために、特許文献１および２に開示された電子機器が備えるスイッチを利用することが考えられる。例えば、特許文献１の電子機器では、蓋体のロックを解除することで蓋体のロック解除状態がスイッチによって検出されると、リカバリーモードへ移行する。また、特許文献２の電子機器では、蓋体を開くことで蓋体が開いた状態がスイッチによって検出されると、リカバリーモードへ移行する。
【０００７】
しかしながら、このように構成すると、蓋体のロックを解除したり、蓋体を開いたりという操作を本来の目的で行う場合は、意図せずにリカバリーモードへ移行してしまうという問題が生じる。
【０００８】
本発明は、上記の課題に鑑みてなされたものであって、カバーの開閉操作を利用してカバーの開閉を検出する以外の所望の処理を行うことができる電子機器の提供を目的としている。
【課題を解決するための手段】
【０００９】
上記の課題を解決するために、本発明の一態様に係る電子機器は、収納物を収納する収納部を有する筐体と、前記筐体に対してスライドすることにより前記収納部を開閉するカバーと、前記筐体の内部に設けられた内部スイッチと、前記内部スイッチが押圧されることによりオンした状態で操作されると特定の処理を有効にする操作部とを備え、前記カバーが、前記内部スイッチを押圧する突起を有し、前記筐体および前記カバーが、前記カバーが前記収納部を完全に閉じる位置と前記収納部を完全に開く位置との間の、前記突起が前記内部スイッチを押圧する位置で、前記カバーを前記筐体に保持する保持構造を有している。
【発明の効果】
【００１０】
本発明の一態様によれば、カバーを途中まで開いた状態で内部スイッチが突起によって押圧されるので、カバーを完全に開かない状態で内部スイッチをオンすることができる。また、保持構造によって、内部スイッチが押圧された位置で、カバーが筐体に保持されるので、その状態で操作部が操作されると、特定の処理が有効になる。したがって、カバーの開閉操作を利用してカバーの開閉を検出する以外の所望の処理を行うことができるという効果を奏する。
【図面の簡単な説明】
【００１１】
【図１】本発明の実施形態１に係る通信装置のカバーを装着した状態の下面側の構成を示す平面図である。
【図２】カバーを取り外した状態の上記通信装置の下面側の構成を示す平面図である。
【図３】カバーを取り外した状態の上記通信装置の外観を示す斜視図である。
【図４】図１のＡ−Ａ線矢視断面の構造を示す断面図である。
【図５】図１のＢ−Ｂ線矢視断面の構造を示す断面図である。
【図６】カバーが内部スイッチを押圧する位置まで開かれた状態の上記通信装置の外観を示す斜視図である。
【図７】カバーが内部スイッチを押圧する位置まで開かれた状態の図１のＡ−Ａ線矢視断面の構造を示す断面図である。
【図８】カバーが内部スイッチを押圧する状態からさらに開かれた状態の図１のＡ−Ａ線矢視断面の構造を示す断面図である。
【図９】本発明の実施形態２に係る通信装置のシステム構成を示すブロック図である。
【図１０】本発明の実施形態３に係る通信装置のシステム構成を示すブロック図である。
【発明を実施するための形態】
【００１２】
〔実施形態１〕
本発明の実施形態１について、図１〜図８を用いて説明すれば以下の通りである。
【００１３】
図１は、本発明の実施形態１に係る通信装置１のカバー７を装着した状態の下面側の構成を示す平面図である。図２は、カバー７を取り外した状態の通信装置１の下面側の構成を示す平面図である。図３は、カバー７を取り外した状態の通信装置１の外観を示す斜視図である。図４は、図１のＡ−Ａ線矢視断面の構造を示す断面図である。図５は、図１のＢ−Ｂ線矢視断面の構造を示す断面図である。なお、便宜上、図４および図５においては、筐体２の上下が図１と逆に描かれている。
【００１４】
図１〜図３に示すように、通信装置１（電子機器）は、ほぼ直方体をなす筐体２を備えている。筐体２は、下面部２１と、当該下面部２１の４辺部分から連なる４つの側面部２２〜２５とを有している。下面部２１には、四隅の付近に１つずつ脚部２６が設けられている。また、側面部２２における一方の脚部２６側には、通信装置１の電源を投入するための電源スイッチ４（操作部）が設けられている。さらに、筐体２には、各種の部品を収納するための収納部２７が設けられている。
【００１５】
収納部２７は、下面部２１における２つの脚部２６（側面部２２，２３がなす角部および側面部２３，２４がなす角部の付近の脚部２６）の間と、側面部２２に隣接する側面部２３とに跨がって形成されている。収納部２７の側面部２３側には、側面部２３の外面よりも内側に位置する第１平板部２７ａが形成され、収納部２７の下面部２１側には、下面部２１の外面よりも内側に位置する第２平板部２７ｂが形成されている。
【００１６】
収納部２７には、収納される部品（収納物）として、ＵＳＢ端子２７ｃおよびメモリカードソケット２７ｄが設けられている。ＵＳＢ端子２７ｃは、ＵＳＢケーブルのコネクタを接続するための部品であり、第１平板部２７ａに配置されている。メモリカードソケット２７ｄは、メモリカードを装着するための部品であり、第１平板部２７ａと第２平板部２７ｂとの境界部分に配置されている。なお、収納部２７内に収納される収納物としては、前記のＵＳＢ端子２７ｃおよびメモリカードソケット２７ｄに限らず、電池などを含んでいてもよい。
【００１７】
第２平板部２７ｂには、スリット２７ｅが設けられている。スリット２７ｅは、下面部２１における一方の縁部２１ａの近傍に、当該縁部２１ａに沿うように長く形成されている。
【００１８】
下面部２１においては、一対の縁部２１ａが設けられている。縁部２１ａは、収納部２７の開口部分の一部を構成しており、脚部２６側に位置し、かつ、互いに対向するように形成されている。それぞれの縁部２１ａの内面には、間隔をおいて２つの凹部２１ｂ，２１ｃが、同じ形状（例えば球面状）、かつ、同じ大きさに形成されている。
【００１９】
筐体２の内部には、複数の回路部品を実装した基板５が内蔵されている。基板５は、下面部２１と対向するように配置されている。また、基板５の下面部２１に対向する実装面には、回路部品としての内部スイッチ６が実装されている。内部スイッチ６は、基板５におけるスリット２７ｅと向かい合う位置に配置されている。この内部スイッチ６は、押圧型のスイッチであり、押されていない状態ではオフしており、押された状態でオンする。
【００２０】
内部スイッチ６は、オン操作によってリカバリーモードに移行するためのスイッチである。リカバリーモードは、通信装置１を動作させるプログラムの実行に不具合が生じて、通信装置１が異常動作をしたときに、正常な状態に復帰させるための処理を行う動作モードである。ここでは、内部スイッチ６は、リカバリーモードへ移行させるためのスイッチとして用いられるが、それには限定されず、他の目的（他の動作モードへの移行など）で利用されてもよい。
【００２１】
筐体２は、その一部としてカバー７を含んでいる。カバー７は、収納部２７を覆うために設けられており、筐体２にスライド自在に保持されることで収納部２７を開閉する。このカバー７は、下面部２１の一部を構成する下面部７１と、側面部２３の一部を構成する側面部７２とからなる。下面部７１は、収納部２７の第２平板部２７ｂと対向するように配置される。また、下面部７１は、下面部２１の縁部２１ａと接する２つの側面に、それぞれ所定の長さを有するガイド部７１ａが設けられている。
【００２２】
ガイド部７１ａは、下面部７１の側面よりも短く形成されている。また、ガイド部７１ａにおける、下面部７１の外面側の表面が縁部２１ａの内面と接する。ガイド部７１ａにおける縁部２１ａの内面と接する面には、側面部７２側の端部と反対側の端部に、凸部７１ｂが設けられている。図４に示すように、凸部７１ｂは、前述の縁部２１ａにおける凹部２１ｂ（および凹部２１ｃ（後述する図７参照））に嵌まる大きさおよび形状（例えば半球状）に形成されている。
【００２３】
カバー７は、下面部７１が収納部２７の第２平板部２７ｂ上に載置されるとともに、ガイド部７１ａが下面部２１における縁部２１ａの内面側に差し込まれることにより、筐体２に保持された状態で、収納部２７内をスライド自在に移動することができる。
【００２４】
下面部７１の内面（第１平板部２７ｂに対向する面）には、突起７１ｃが設けられている。図４に示すように、この突起７１ｃは、カバー７を収納部２７においてスライドさせるときに、スリット２７ｅ内を移動するような位置に形成されている。また、突起７１ｃは、カバー７が収納部２７を完全に閉じるときに内部スイッチ６を押圧せず、かつ、カバー７が収納部２７を少し開いたときに内部スイッチ６を押圧するような位置に配置されている。この位置は、具体的には、下面部７１における、側面部７２と平行な端部のうちの側面部７２から遠い方の端部（遠方端部）の近傍であって、カバー７が収納部２７を完全に閉じた状態での、下面部２１の凹部２１ｂよりも遠方端部に近い位置である。また、突起７１ｃは、カバー７において、凸部７１ｂと近接し、かつ、凸部７１ｂよりも下面部７１の遠方端部に近い位置に配置されている。さらに、突起７１ｃは、ガイド部７１ａの近傍に設けられている。
【００２５】
突起７１ｃは、内部スイッチ６と対向する位置にある状態で内部スイッチ６を押圧できる高さを有している。また、突起７１ｃは、筐体２の側面部２２側から見た形状が、頂部が底部よりも狭くなる台形状をなすとともに、頂部における２つの角部が曲面をなすように形成されている。
【００２６】
続いて、上記のように構成される通信装置１においてカバー７を開くことによる内部スイッチ６の操作について説明する。
【００２７】
図６は、カバー７が内部スイッチ６を押圧する位置まで開かれた状態の上記通信装置の外観を示す斜視図である。図７は、カバー７が内部スイッチ６を押圧する位置まで開かれた状態の図１のＡ−Ａ線矢視断面の構造を示す断面図である。図８は、カバー７が内部スイッチ６を押圧する状態からさらに開かれた状態の図１のＡ−Ａ線矢視断面の構造を示す断面図である。なお、便宜上、図６および図７においては、筐体２の上下が図１と逆に描かれている。
【００２８】
まず、図５に示すように、カバー７が収納部２７を完全に覆うように閉じる状態では、ガイド部７１ａの凸部７１ｂが、下面部２１の凹部２１ｂに嵌まり込んでおり、ロックされている。したがって、この状態では、凸部７１ｂが凹部２１ｂから抜け出した下記の状態が持続されることはなく、ガイド部７１ａの変形を防止することができる。また、この状態では、突起７１ｃが内部スイッチ６から離れている。
【００２９】
この状態からカバー７が開かれると、凸部７１ｂが、凹部２１ｂから抜け出して、下面部２１の縁部２１ａ上を移動する。ガイド部７１ａは、上記のように凸部７１ｂが凹部２１ｂに嵌まり込んだ状態では縁部２１ａに接しているが、凸部７１ｂが凹部２１ｂから抜け出すと、凸部７１ｂの付近が縁部２１ａから離れる。このために、ガイド部７１ａは、撓むことができ、かつ、撓みによって破損しない強度を保持する必要がある。したがって、ガイド部７１ａは、その要求を満たすような厚さかつ材質で形成されている。
【００３０】
図６に示すように、カバー７が少し開かれた状態では、図７に示すように、ガイド部７１ａの凸部７１ｂが、下面部２１の凹部２１ｃに嵌まり込んでおり、ロックされている。この状態では、突起７１ｃが内部スイッチ６を押圧している。これにより、内部スイッチ６がオン状態となる。
【００３１】
この状態では、カバー７は、図５に示す状態から凹部２１ｂ，２１ｃ間の間隔Ｄを移動したことになる。また、この状態では、ガイド部７１ａが、ガイド部７１ａの半分程度の範囲で縁部２１ａに接触することで、縁部２１ａに保持されている。さらに、突起７１ｃが内部スイッチ６を押圧する位置は、当該位置を定めるための凹部２１ｃよりも筐体２の奥側にある。
【００３２】
なお、上記の距離Ｄが短すぎると、凸部７１ｂが凹部２１ｂから抜け出て凹部２１ｃに嵌まるまでの間隔が短くなるので、ガイド部７１ａががたついてしまう。これにより、突起７１ｃによる内部スイッチ６の押圧動作が不安定になる。したがって、距離Ｄは、上記のようながたつきが生じない程度の長さを確保する必要がある。
【００３３】
内部スイッチ６のオン状態において、電源スイッチ４がオンされると、リカバリーモードに移行する。これは、内部スイッチ６のオン状態のみでリカバリーモードに移行すると、収納部２７内の収納物を利用するなどの目的でカバー７が開かれたときに、内部スイッチ６がオンされることで意図せずにリカバリーモードに移行してしまうことを回避するためである。
【００３４】
突起７１ｃが内部スイッチ６を押圧した状態からさらにカバー７が開かれると、凸部７１ｂが、凹部２１ｃから抜け出して、縁部２１ａ上を移動するとともに、突起７１ｃが内部スイッチ６から離れる。これにより、内部スイッチ６がオフ状態になる。そして、図８に示すように、ガイド部７１ａが縁部２１ａから外れる位置までカバー７が開かれると、カバー７が筐体２から取り外し可能となる。なお、本実施形態では、カバー７が筐体２から取り外し可能となる位置まで開かれた状態を、カバー７が収納部２７を完全に開く状態とする。
【００３５】
ここで、図１に示す縁部２１ａの長さＬは、図８に示すように凸部７１ｂが縁部２１ａから外れた状態で、カバー７を筐体２から取り外すことができる寸法に設定されている。
【００３６】
以上のように、本実施形態に係る通信装置１は、下面部７１が収納部２７の第２平板部２７ｂ上に載置されるとともに、ガイド部７１ａが下面部２１における縁部２１ａの内面側に差し込まれることにより、カバー７が収納部２７に対してスライドする。また、筐体２とカバー７とは、カバー７が収納部２７を完全に閉じる位置とカバー７が収納部２７を完全に開く位置との間の、突起７１ｃが筐体２の内部に設けられた内部スイッチ６を押圧する位置で、カバー７を筐体２に保持する保持構造として、それぞれ凹部２１ｃと、凹部２１ｃに嵌まって係止される凸部７１ｂとを有している。さらに、電源スイッチ４は、内部スイッチ６が押圧されることによりオンした状態で操作されると、特定の処理としてリカバリーモードへの移行を有効にする。
【００３７】
これにより、カバー７が少し引き出された状態では、凸部７１ｂが下面部２１の凹部２１ｃに嵌まり込むとともに、突起７１ｃが内部スイッチ６を押圧する。ユーザは、凸部７１ｂが凹部２１ｃに嵌まり込んだ状態を手で感じることにより、リカバリーモードへの移行時に、ここでカバー７を開く操作を止めればよいと認識することができる。その状態で電源スイッチ４をオンすることで、動作モードがリカバリーモードに移行される。このように、カバー７を少し開く操作と、電源スイッチ４をオンする操作とをするだけで、リカバリーモードに移行することができる。このように、カバー７を開く操作を、収納部２７内の収納物を利用するといった本来の目的とは異なる目的に利用するので、特別な操作を必要としない。したがって、リカバリーモードへの移行のための操作を容易にすることができる。
【００３８】
また、突起７１ｃは、下面部７１の内面において、ガイド部７１ａと近接した位置に設けられている。カバー７が筐体２に支持されるガイド部７１ａは安定しているので、下面部７１におけるガイド部７１ａの近傍でも同様に安定しており、下面部７１においてガイド部７１ａから遠いために不安定となる中央部分と比べて撓みが生じにくい。これにより、突起７１ｃが安定して内部スイッチ６を押圧することができる。したがって、内部スイッチ６の操作の信頼性を向上させることができる。
【００３９】
しかも、突起７１ｃが、台形状に形成され、かつその頂部の角部が曲面をなす。これにより、突起７１ｃが内部スイッチ６に接したときに、円滑に内部スイッチ６上に乗り上がることにより、確実に内部スイッチ６を押圧することができるし、突起７１ｃの強度を高めることもできる。なお、突起７１ｃの形状は、台形状に限定されず、内部スイッチ６の押圧の容易さや強度を確保できれば、他の形状、例えば半球状であってもよい。
【００４０】
ガイド部７１ａは、下面部７１の側面よりも短く形成されている。これにより、図８に示すように、突起７１ｃがスリット２７ｅの端部まで達した状態で、カバー７を筐体２から取り外すことができる。
【００４１】
また、凸部７１ｂは、突起７１ｃと近接した位置に設けられるとともに、カバー７が収納部２７を完全に閉じる位置で最も筐体２の奥側となる、ガイド部７１ａの端部に設けられている。これにより、突起７１ｃが内部スイッチ６を押圧する位置では、ガイド部７１ａが縁部２１ａに位置決めされる位置が最も奥側の位置になるので、ガイド部７１ａが、この位置から縁部２１ａに接触している部分で安定して縁部２１ａに支持される。また、凸部７１ｂに近接している突起７１ｃが安定して内部スイッチ６を押圧することができる。
【００４２】
なお、本実施形態では、電子機器としての通信装置１について説明したが、本実施形態および後述する他の実施形態の構成は、他の電子機器にも適用することができるのは勿論である。また、本実施形態の通信装置１において、内部スイッチ６の操作は、リカバリーモードに移行するために利用されるが、これには限定されず、後述する実施形態３のように、他の目的に利用されてもよい。
【００４３】
〔実施形態２〕
本発明の他の実施形態について、図９に基づいて説明すれば、以下のとおりである。なお、説明の便宜上、前述の実施形態１にて説明した構成要素と同じ機能を有する構成要素については、同じ符号を付記し、その説明を省略する。
【００４４】
図９は、本発明の実施形態２に係る通信装置１Ａのシステム構成を示すブロック図である。
【００４５】
本実施形態に係る通信装置１Ａ（電子機器）は、前述の実施形態１に係る通信装置１が有する筐体２を備えており、さらに、図９に示すように、プログラムメモリ１０と、前述の電源スイッチ４および内部スイッチ６に接続される制御部１１とを備えている。
【００４６】
制御部１１は、汎用または専用のＯＳに基づいて、プログラムメモリ１０に格納されたプログラムにしたがって、外部機器と通信を行うための処理を行う部分である。この制御部１１は、実施形態１において説明したように、カバー７が少し開かれることで内部スイッチ６がオンした状態で、電源スイッチ４がオンされると、リカバリーモードに移行する。制御部１１は、リカバリーモードに移行すると、プログラムメモリ１０に格納されたバックアップ用のプログラムを起動したり、プログラムメモリ１０に格納されたリセット用のプログラムを起動することで初期化したりという復帰処理を行う。
【００４７】
このように、本実施形態の通信装置１Ａは、内部スイッチ６および電源スイッチ４がともにオンした状態でのみリカバリーモードに移行する。これにより、誤ってリカバリーモードに移行するといった不具合を回避することができる。
【００４８】
〔実施形態３〕
本発明のさらに他の実施形態について、図１０に基づいて説明すれば、以下のとおりである。なお、説明の便宜上、前述の実施形態１および２にて説明した構成要素と同じ機能を有する構成要素については、同じ符号を付記し、その説明を省略する。
【００４９】
図１０は、本発明の実施形態３に係る通信装置１Ｂのシステム構成を示すブロック図である。
【００５０】
本実施形態に係る通信装置１Ｂ（電子機器）は、前述の実施形態１に係る通信装置１が有する筐体２を備えており、さらに、図１１に示すように、プログラムメモリ１３と、前述の電源スイッチ４および内部スイッチ６に接続される制御部１４とを備えている。
【００５１】
制御部１４は、汎用または専用のＯＳに基づいて、プログラムメモリ１３に格納されたプログラムにしたがって、外部機器と通信を行うための処理を行う部分である。この制御部１４は、カバー７が少し開かれることで内部スイッチ６がオンした状態で、電源スイッチ４がオンされると、メニュー画面表示モード（動作選択処理）に移行する。制御部１４は、メニュー画面表示モードに移行すると、プログラムメモリ１３に格納されたメニュー画面表示用のプログラムを起動して、通信装置１Ｂに接続された表示機器１０１にメニュー画面を表示させる。メニュー画面には、各種のモード（複数の動作）に移行するためのメニューが含まれており、このメニューには、前述のリカバリーモード、メンテナンスのためのメンテナンスモードなどが含まれている。
【００５２】
表示機器１０１は、タッチパネルのような入力操作を受け付ける入力部を備えており、ユーザによる入力操作によってメニュー画面から１つのモードが選択されると、選択されたモードを制御部１４に通知する。これにより、制御部１４は、選択されたモードの処理を行うように、プログラムメモリ１３に格納されたプログラムを起動する。
【００５３】
このように、本実施形態の通信装置１Ｂは、内部スイッチ６および電源スイッチ４がともにオンした状態でのみメニュー画面表示モードに移行する。これにより、誤ってメニュー画面表示に移行するといった不具合を回避することができる。また、各種のモードを選択するメニュー画面を簡単な操作で表示させることができるので、通信装置１Ｂの操作性を向上させることができる。
【００５４】
なお、本実施形態の通信装置１Ｂは、表示機能を備えていないために、外部に表示機器１０１が接続されているが、表示機能を備えていてもよい。
【００５５】
〔ソフトウェアによる実現例〕
実施形態２および３における制御部１１，１４は、ＣＰＵ（Central Processing Unit）を用いてソフトウェアによって実現される。ただし、制御部１１，１４は、集積回路（ＩＣチップ）等に形成された論理回路（ハードウェア）によって実現されてもよい。
【００５６】
前者の場合、制御部１１，１４は、それぞれプログラムメモリ１０，１３に格納されたプログラムの命令を実行するＣＰＵなどを備えている。そして、制御部１１，１４が上記プログラムをプログラムメモリ１０，１３から読み出して実行することにより、本発明の目的が達成される。上記プログラムを格納する記録媒体としては、プログラムメモリ１０，１３に限らず、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して通信装置１，１Ａ，１Ｂに供給されてもよい。なお、本発明は、上記プログラムが電子的な伝送によって具現化された、搬送波に埋め込まれたデータ信号の形態でも実現され得る。
【００５７】
〔まとめ〕
本発明の態様１に係る電子機器は、収納物（ＵＳＢ端子２７ｃ，メモリカードソケット２７ｄ）を収納する収納部２７を有する筐体２と、前記筐体２に対してスライドすることにより前記収納部２７を開閉するカバー７と、前記筐体２の内部に設けられた内部スイッチ６と、前記内部スイッチ６が押圧されることによりオンした状態で操作されると特定の処理を有効にする操作部（電源スイッチ４）とを備え、前記カバー７が前記筐体２の内部に設けられた内部スイッチ６を押圧する突起７１ｃを有し、前記筐体２および前記カバー７が、前記カバー７が前記収納部２７を完全に閉じる位置と前記カバー７が前記収納部２７を完全に開く位置との間の、前記突起７１ｃが前記内部スイッチ６を押圧する位置で、前記カバー７を前記筐体２に保持する保持構造を有している。
【００５８】
上記の構成によれば、収納部２７を完全に閉じた位置と収納部２７を完全に開いた位置との間のカバー７を途中まで開いた状態で、内部スイッチ６が突起７１ｃによって押圧される。これにより、カバー７を完全に開かない状態で内部スイッチ６をオンすることができる。また、保持構造によって、内部スイッチ６が押圧された位置で、カバー７が筐体２に保持されるので、その状態で操作部が操作されると、特定の処理が有効になる。このように、内部スイッチ６の押圧状態（オン状態）において操作部が操作されることで特定の処理が有効になるので、カバー７の開閉操作のみで意図しない処理が有効になることを回避できる。
【００５９】
本発明の態様２に係る電子機器は、上記態様１において、前記保持構造が、前記筐体２に設けられた凹部２１ｃと、前記カバー７に設けられて前記凹部２１ｃに嵌まる凸部７１ｂとで構成されてもよい。
【００６０】
上記の構成によれば、簡単な保持構造により、突起７１ｃが内部スイッチ６を押圧する位置を定めることができる。また、突起７１ｃが凹部に嵌まることで、ユーザはその位置でカバー７を開く操作を止めればよいと認識することができる。
【００６１】
本発明の態様３に係る電子機器は、上記態様２において、前記カバー７は、その側面に、所定の長さを有し、前記筐体２にスライド自在に保持されるガイド部７１ａを有し、前記突起７１ｃが、前記ガイド部７１ａと近接した位置に設けられていてもよい。
【００６２】
上記の構成によれば、突起７１ｃが、筐体２に保持されることで安定しているガイド部７１ａの近接した位置に設けられているので、ガイド部７１ａから遠い位置に設けられるよりも、安定して内部スイッチ６を押圧することができる。これにより、スイッチ操作の信頼性を向上させることができる。
【００６３】
本発明の態様４に係る電子機器は、上記態様３において、前記凸部７１ｂが、前記ガイド部７１ａにおいて、前記カバー７が前記収納部２７を完全に閉じる位置で最も前記筐体２の奥側に位置するように設けられ、かつ前記突起７１ｃと近接した位置に設けられていてもよい。
【００６４】
上記の構成によれば、突起７１ｃが内部スイッチ６を押圧する位置では、ガイド部７１ａが筐体２において位置決めされる位置が筐体２の最も奥側にあるので、ガイド部７１ａが、凸部７１ｂの位置から筐体２に安定して保持される部分を長くすることができる。また、凹部２１ｃに嵌まる凸部７１ｂに近接している突起７１ｃが安定して内部スイッチ６を押圧することができる。
【００６５】
本発明の態様５に係る電子機器は、上記態様３または４において、前記ガイド部７１ａは、前記カバー７の側面よりも短く形成されていてもよい。
【００６６】
上記の構成によれば、カバー７が筐体２に保持される部分であるガイド部７１ａがカバー７の側面よりも短くなるので、ガイド部７１ａを、カバー７の側面よりも短い距離を筐体２に対してスライドさせることで、ガイド部７１ａを筐体２から取り外すことができる。このようにガイド部７１ａがスライドする距離を短くすることにより、筐体２に対するカバー７の取り付けおよび取り外しを容易にすることができる。
【００６７】
本発明の態様６に係る電子機器は、上記態様１から５のいずれかにおいて、前記操作部が、電子機器（通信装置１，１Ａ，１Ｂ）の電源を投入するための電源スイッチ４であり、前記電子機器が、前記内部スイッチ６が前記突起７１ｃによって押圧されることでオンし、かつ、前記電源スイッチ４がオンしたときに所定の処理を行う制御部１１，１４をさらに備えていてもよい。
【００６８】
内部スイッチ６がオンしただけで制御部１１，１４が所定の処理を行うと、カバー７を収納部２７内の収納物を利用するといった目的で開かれたときに、内部スイッチ６がオンされることで意図せずに所定の処理が行われる。これに対し、上記の構成によれば、このような不都合を回避することができる。
【００６９】
本発明の態様７に係る電子機器は、上記態様６において、前記処理が、前記電子機器の異常動作から復帰するための復帰処理であってもよい。これにより、復帰処理を簡単な操作で行うことができる。
【００７０】
本発明の態様８に係る電子機器は、上記態様６において、前記処理が、前記電子機器において行われる複数の動作から１つを選択するための動作選択処理であってもよい。これにより、動作選択処理を簡単な操作で行うことができる。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７２】
本発明は、特別なスイッチ操作を必要とする電子機器に好適に利用することができる。
【符号の説明】
【００７３】
１    通信装置（電子機器）
１Ａ  通信装置（電子機器）
１Ｂ  通信装置（電子機器）
２    筐体
４    電源スイッチ（操作部）
６    内部スイッチ
７    カバー
２１ｃ  凹部（保持構造）
２７ｃ  ＵＳＢ端子（収納物）
２７ｄ  メモリカードソケット（収納物）
７１ａ  ガイド部
７１ｂ  凸部（保持構造）
７１ｃ  突起
１１    制御部
１４    制御部
【図１】
2016178128.tif 000003
【図２】
2016178128.tif 000004
【図３】
2016178128.tif 000005
【図４】
2016178128.tif 000006
【図５】
2016178128.tif 000007
【図６】
2016178128.tif 000008
【図７】
2016178128.tif 000009
【図８】
2016178128.tif 000010
【図９】
2016178128.tif 000011
【図１０】
2016178128.tif 000012